(57)【特許請求の範囲】
【請求項１】
スイッチング素子を備え、駆動信号に基づいて上記スイッチング素子をオンオフすることにより制御電源電圧を生成する電源回路と、
上記電源回路が生成した制御電源電圧を電源として動作し、上記スイッチング素子のオンオフを指示するマイクロコンピュータと、
上記マイクロコンピュータが動作している場合に、上記マイクロコンピュータによる指示にしたがって上記電源回路のスイッチング素子をオンオフする駆動信号を生成し、上記マイクロコンピュータが動作していない場合に、所定の周波数で上記電源回路のスイッチング素子をオンオフする駆動信号を生成する駆動回路と
を有することを特徴とする電源装置。
【請求項２】
上記マイクロコンピュータは、上記電源回路が制御電源電圧を生成しない場合に動作しないことを特徴とする請求項１に記載の電源装置。
【請求項３】
上記電源回路は、上記スイッチング素子をオンオフすることにより交流電圧を生成し、生成した交流電圧から上記制御電源電圧を生成することを特徴とする請求項１または請求項２に記載の電源装置。
【請求項４】
上記電源装置は、更に、
上記駆動回路を動作させる電源となる駆動電源電圧を生成し、上記電源回路が制御電源電圧を生成していない場合に、上記電源回路のスイッチング素子のオンオフを開始する駆動信号を生成するために必要な起動電流を上記駆動回路に供給し、上記電源回路が生成した交流電圧から、上記電源回路のスイッチング素子のオンオフを継続する駆動信号を生成するために必要な動作電流を上記駆動回路に供給する駆動電源回路
を有することを特徴とする請求項３に記載の電源装置。
【請求項５】
上記電源装置は、更に、
上記電源回路のスイッチング素子がスイッチング動作するときに発生するサージ電流を逃がすスナバ回路を有し、
上記電源回路は、上記スナバ回路が逃がしたサージ電流から制御電源電圧を生成する
ことを特徴とする請求項１乃至請求項４のいずれかに記載の電源装置。
【請求項６】
請求項１乃至請求項５のいずれかに記載の電源装置と、光源とを有し、
上記電源回路は、上記光源を点灯する電圧を生成することを特徴とする照明器具。
【発明の詳細な説明】
【技術分野】
【０００１】
この発明は、マイクロコンピュータを用いて動作を制御する放電灯点灯装置に関する。
【背景技術】
【０００２】
放電灯を点灯する放電灯点灯装置において、インバータ回路などの動作を制御するため、マイクロコンピュータを用いるものがある。
マイクロコンピュータなどの集積回路を動作させるには、数Ｖ程度の低電圧の直流電圧が必要であり、放電灯点灯装置は、このような直流電圧を得るための制御電源回路を有する。
【先行技術文献】
【特許文献】
【０００３】
【特許文献１】特開平７−５７８８７号公報
【特許文献２】特開平６−３３９２８１号公報
【特許文献３】実開平２−１０３７９２号公報
【発明の概要】
【発明が解決しようとする課題】
【０００４】
マイクロコンピュータは、一般的に、他の集積回路と比較して消費電流が大きい。
そのため、制御電源回路は、マイクロコンピュータが消費する電流を賄える容量が必要とされる。
また、製造コスト削減のため、制御電源回路は、部品点数の少ない簡単な回路構成で実現できるものが望まれる。更に、省エネのため、制御電源回路における消費電力を低く抑えることが望まれる。
この発明は、例えば、上記のような課題を解決するためになされたものであり、簡単な回路構成、かつ、低消費電力で、マイクロコンピュータを動作させるために十分な電流を供給することを目的とする。
【課題を解決するための手段】
【０００５】
この発明にかかる電源装置は、
スイッチング素子を備え、駆動信号に基づいて上記スイッチング素子をオンオフすることにより制御電源電圧を生成する電源回路と、
上記電源回路が生成した制御電源電圧を電源として動作し、上記スイッチング素子のオンオフを指示するマイクロコンピュータと、
上記マイクロコンピュータが動作している場合に、上記マイクロコンピュータによる指示にしたがって上記電源回路のスイッチング素子をオンオフする駆動信号を生成し、上記マイクロコンピュータが動作していない場合に、所定の周波数で上記電源回路のスイッチング素子をオンオフする駆動信号を生成する駆動回路とを有することを特徴とする。
【発明の効果】
【０００６】
この発明にかかる放電灯点灯装置によれば、マイクロコンピュータが動作していない段階で、インバータ駆動回路が所定の周波数のインバータ駆動信号を生成し、インバータ駆動回路が生成したインバータ駆動信号によりインバータ回路が交流電圧を生成し、インバータ回路が生成した交流電圧から制御電源回路が制御電源電圧を生成し、制御電源回路が生成した制御電源電圧を電源としてマイクロコンピュータが動作するので、簡単な回路構成、かつ、低消費電力で、マイクロコンピュータを動作させるために十分な電流を供給することができるという効果を奏する。
【図面の簡単な説明】
【０００７】
【図１】実施の形態１における照明器具８００の外観を示す斜視図。
【図２】実施の形態１における放電灯点灯装置１００の構成を示す回路図。
【図３】実施の形態１における放電灯点灯装置１００の動作の流れを示すシーケンス図。
【図４】実施の形態１におけるインバータ駆動ＩＣ１５１及びマイコン１６０が動作するために消費する電流と、その供給源との関係を示す図。
【図５】実施の形態２における放電灯点灯装置１００の構成を示す回路図。
【図６】実施の形態３における放電灯点灯装置１００の構成を示す回路図。
【図７】実施の形態３における放電灯点灯装置１００の動作の流れを示すシーケンス図。
【図８】実施の形態３におけるインバータ駆動ＩＣ１５１及び昇圧チョッパ制御ＩＣ１２５及びマイコン１６０が動作するために消費する電流と、その供給源との関係を示す図。
【発明を実施するための形態】
【０００８】
実施の形態１．
実施の形態１について、図１〜図４を用いて説明する。
【０００９】
図１は、この実施の形態における照明器具８００の外観を示す斜視図である。
【００１０】
照明器具８００は、放電灯点灯装置１００（図示せず）、ランプソケット８１０を有する。
放電灯点灯装置１００は、商用電源ＡＣなどの交流電源から低周波交流電圧（例えば、５０Ｈｚまたは６０Ｈｚ）を入力し、高周波交流電圧（例えば、５０ｋＨｚ）を生成する。
ランプソケット８１０（放電灯取付部）は、放電灯ＬＡを着脱自在に固定する。
照明器具８００は、放電灯点灯装置が生成した高周波電圧を、ランプソケットに固定した放電灯ＬＡに印加して点灯する。
【００１１】
図２は、この実施の形態における放電灯点灯装置１００の構成を示す回路図である。
【００１２】
放電灯点灯装置１００は、整流回路１１０、力率改善回路１２０、インバータ回路１３０、チョークコイルＬ４１、カップリングコンデンサＣ４２、始動コンデンサＣ４３、放電灯接続部１４０、インバータ駆動回路１５０、マイコン１６０、抵抗Ｒ７１、抵抗Ｒ７２、放電灯接続検出回路１７３、異常点灯検出回路１７５、スナバ回路１８０、ダイオードＤ８３、制御電源回路２１０、駆動電源回路２２０、発振停止回路２３０を有する。
【００１３】
整流回路１１０（全波整流回路）は、商用電源ＡＣなどの交流電源から入力した低周波交流電圧を整流して、脈流電圧を生成する。
整流回路１１０は、例えば、ダイオードブリッジＤＢである。ダイオードブリッジＤＢは、入力した交流電圧を全波整流して脈流電圧を生成する。
なお、整流回路１１０は、ノイズを除去するためのアクロスザラインコンデンサやコモンモードチョーク、ノーマルモードチョークなどを有していてもよい。
【００１４】
力率改善回路１２０（直流電源回路、アクティブフィルタ回路）は、整流回路１１０が生成した脈流電圧から、直流電圧を生成する。
力率改善回路１２０は、例えば、チョークコイルＬ２１、ＭＯＳ−ＦＥＴＱ２２（スイッチング素子）、ダイオードＤ２３、コンデンサＣ２４、昇圧チョッパ制御ＩＣ１２５からなる昇圧チョッパ回路である。昇圧チョッパ制御ＩＣ１２５（直流電源駆動回路）がＭＯＳ−ＦＥＴＱ２２をオンオフすることにより、チョークコイルＬ２１を流れる電流でコンデンサＣ２４を充電し、コンデンサＣ２４に充電された電圧を直流電圧として出力する。
【００１５】
インバータ回路１３０は、力率改善回路１２０が生成した直流電圧から高周波交流電圧を生成する。
インバータ回路１３０は、例えば、ＭＯＳ−ＦＥＴＱ３１（スイッチング素子）及びＭＯＳ−ＦＥＴＱ３２（スイッチング素子）を備える。ＭＯＳ−ＦＥＴＱ３１及びＭＯＳ−ＦＥＴＱ３２は、力率改善回路１２０の出力に直列接続されている。インバータ回路１３０は、ＭＯＳ−ＦＥＴＱ３１及びＭＯＳ−ＦＥＴＱ３２をそれぞれオンオフ駆動するインバータ駆動信号を入力する。入力したインバータ駆動信号により、ＭＯＳ−ＦＥＴＱ３１及びＭＯＳ−ＦＥＴＱ３２が交互にオンオフすることにより、インバータ回路１３０は、矩形波の交流電圧を生成する。また、入力したインバータ駆動信号により、ＭＯＳ−ＦＥＴＱ３１及びＭＯＳ−ＦＥＴＱ３２をともにオフとすれば、インバータ回路１３０は、高周波交流電圧の生成を停止する。
【００１６】
放電灯接続部１４０は、照明器具８００のランプソケット８１０に固定した放電灯ＬＡと、放電灯点灯装置１００内の電気回路とを電気接続する接点である。
放電灯接続部１４０に接続した放電灯ＬＡは、始動コンデンサＣ４３と並列に接続される。放電灯ＬＡと始動コンデンサＣ４３との並列回路は、チョークコイルＬ４１及びカップリングコンデンサＣ４２と直列に接続され、全体として、インバータ回路１３０に対する負荷回路となる。
【００１７】
チョークコイルＬ４１は、放電灯ＬＡを流れる電流を制限する。
カップリングコンデンサＣ４２は、インバータ回路１３０が出力した高周波交流電圧の直流成分をカットする。
始動コンデンサＣ４３は、放電灯ＬＡ点灯開始時（始動時）に放電灯ＬＡの放電を開始するため、チョークコイルＬ４１との共振により放電灯ＬＡのフィラメント間に高電圧を発生させる。
【００１８】
放電灯接続検出回路１７３は、放電灯接続部１４０に放電灯ＬＡが接続されているか否かを検出し、検出結果を示す放電灯接続検出信号を生成する。
放電灯接続検出回路１７３は、例えば、放電灯ＬＡとカップリングコンデンサＣ４２との接続点の電位を測定することにより、放電灯接続部１４０に放電灯ＬＡが接続されているか否かを検出する。例えば、インバータ回路１３０が交流電圧の生成を開始する前（ＭＯＳ−ＦＥＴＱ３１及びＭＯＳ−ＦＥＴＱ３２がともにオフ）の状態において、放電灯接続部１４０に放電灯ＬＡが接続されていれば、力率改善回路１２０が生成した直流電圧が、抵抗Ｒ７１、放電灯ＬＡの一方のフィラメント、抵抗Ｒ７２、放電灯ＬＡの他方のフィラメントを介して、カップリングコンデンサＣ４２に印加されるので、カップリングコンデンサＣ４２が充電され、放電灯ＬＡとカップリングコンデンサＣ４２との接続点の電位は高くなる。放電灯接続部１４０に放電灯ＬＡが接続されていなければ、カップリングコンデンサＣ４２を充電する電流が流れる経路が途切れるので、カップリングコンデンサＣ４２は充電されず、放電灯ＬＡとカップリングコンデンサＣ４２との接続点の電位は０になる。放電灯接続検出回路１７３は、この違いを検出することにより、放電灯接続部１４０に放電灯ＬＡが接続されているか否かを検出する。
放電灯接続検出回路１７３が生成する放電灯接続検出信号は、例えば、電位によって検出結果を示す。例えば、放電灯接続検出信号の電位が高電位なら、放電灯接続部１４０に放電灯ＬＡが接続されていないことを示し、放電灯接続検出信号の電位が低電位なら、放電灯接続部１４０に放電灯ＬＡが接続されていることを示す。
【００１９】
異常点灯検出回路１７５は、放電灯接続部１４０に接続された放電灯ＬＡを点灯しているとき、放電灯ＬＡが寿命末期による片エミレス点灯などの異常点灯をしているか否かを検出し、検出結果を示す異常点灯検出信号を生成する。
異常点灯検出回路１７５は、例えば、チョークコイルＬ４１と放電灯ＬＡとの接続点の電位を測定することにより、放電灯接続部１４０に接続された放電灯ＬＡが異常点灯しているか否かを検出する。
異常点灯検出回路１７５が生成する異常点灯検出信号は、例えば、電位によって検出結果を示す。例えば、異常点灯検出信号の電位が高電位なら、放電灯接続部１４０に接続された放電灯ＬＡが異常点灯していることを示し、異常点灯検出信号の電位が低電位なら、放電灯接続部１４０に接続された放電灯ＬＡが異常点灯していない（正常点灯しているか消灯している）ことを示す。
【００２０】
スナバ回路１８０は、インバータ回路１３０のＭＯＳ−ＦＥＴＱ３１及びＭＯＳ−ＦＥＴＱ３２がスイッチング動作したときに発生するサージ電流を逃がし、サージ電圧の発生を抑える。
インバータ回路１３０は、ＭＯＳ−ＦＥＴＱ３１及びＭＯＳ−ＦＥＴＱ３２を交互にオンオフすることにより、高周波交流電圧を生成するが、ＭＯＳ−ＦＥＴＱ３１がオン、ＭＯＳ−ＦＥＴＱ３２がオフの状態からＭＯＳ−ＦＥＴＱ３２がオン、ＭＯＳ−ＦＥＴＱ３１がオフの状態に遷移する（あるいはその逆の）際、ＭＯＳ−ＦＥＴＱ３１とＭＯＳ−ＦＥＴＱ３２とがともにオンの期間が発生するのを防ぐため、ＭＯＳ−ＦＥＴＱ３１とＭＯＳ−ＦＥＴＱ３２とがともにオフの期間（デッドタイム）を設ける。
一方、チョークコイルＬ４１には、電流を維持しようとする効果があるので、急激に電流が流れなくなると、高電圧を発生する恐れがある。
そのため、デッドタイムに入る前にチョークコイルＬ４１を流れていた電流を、デッドタイムの間、スナバ回路１８０を介して逃がす。これにより、高電圧の発生を抑制することができる。
スナバ回路１８０は、例えば、コンデンサＣ８１と抵抗Ｒ８２との直列回路からなる。コンデンサＣ８１は、デッドタイムの間、サージ電流により充電あるいは放電される。抵抗Ｒ８２は、デットタイム終了後、コンデンサＣ８１の両端電圧がＭＯＳ−ＦＥＴＱ３１とＭＯＳ−ＦＥＴＱ３２との接続点の電位と異なるとき、コンデンサＣ８１を充電あるいは放電する電流を制限するためのものである。
【００２１】
ダイオードＤ８３は、カソードをスナバ回路１８０に電気接続し、アノードをグランド配線に電気接続している。
スナバ回路１８０には、ＭＯＳ−ＦＥＴＱ３１がオン、ＭＯＳ−ＦＥＴＱ３２がオフの状態からＭＯＳ−ＦＥＴＱ３２がオン、ＭＯＳ−ＦＥＴＱ３１がオフの状態へ遷移する際のデッドタイムと、その逆の際のデッドタイムとで、逆向きの電流が流れる。
このうち、ＭＯＳ−ＦＥＴＱ３１がオン、ＭＯＳ−ＦＥＴＱ３２がオフの状態からＭＯＳ−ＦＥＴＱ３２がオン、ＭＯＳ−ＦＥＴＱ３１がオフの状態へ遷移する際のデッドタイムに流れる電流が、ダイオードＤ８３を介して流れる。
【００２２】
制御電源回路２１０は、スナバ回路１８０が逃がしたサージ電流から、マイコン１６０を動作させる電源となる制御電源電圧を生成する。
制御電源回路２１０は、制御電源電流取得回路２１５と、制御電源蓄電回路２１８とを備える。
制御電源電流取得回路２１５は、抵抗Ｒ１６と、ダイオードＤ１７との直列回路であり、ダイオードＤ１７は、アノードをスナバ回路１８０の側に電気接続し、カソードを制御電源蓄電回路２１８の側に電気接続している。
制御電源電流取得回路２１５には、ダイオードＤ１７の整流作用により、スナバ回路１８０が逃がしたサージ電流のうち、ＭＯＳ−ＦＥＴＱ３１がオフ、ＭＯＳ−ＦＥＴＱ３２がオンの状態からＭＯＳ−ＦＥＴＱ３２がオフ、ＭＯＳ−ＦＥＴＱ３１がオンの状態へ遷移する際のデッドタイムに流れる電流（の一部）が流れる。
なお、抵抗Ｒ１６は、後述する駆動電源回路２２０が生成する駆動電源電圧が、制御電源回路２１０が生成する制御電源電圧より高い場合、スナバ回路１８０が逃がした電流を制御電源回路２１０がすべて取得してしまうのを防ぐためのものであり、駆動電源電圧と制御電源電圧が等しい場合には、なくてもよい。
制御電源蓄電回路２１８は、制御電源電流取得回路２１５が取得した電流（制御電源電流）により充電される。
制御電源蓄電回路２１８は、例えば、コンデンサＣ１９と定電圧ダイオードＺＤ１との並列回路である。
コンデンサＣ１９は、制御電源電流取得回路２１５を介して流れる制御電源電流により充電される。
定電圧ダイオードＺＤ１は、コンデンサＣ１９に充電された電圧が所定の電圧に達すると導通し、制御電源電流を逃がして、コンデンサＣ１９に充電された電圧が所定の電圧を超えないようにする。
コンデンサＣ１９に充電された電圧は、制御電源電圧として、マイコン１６０に供給される。
【００２３】
マイコン１６０（マイクロコンピュータ）は、制御電源回路２１０が生成した制御電源電圧を電源として動作するワンチップマイコンなどの集積回路である。
マイコン１６０は、内部にＲＯＭやＲＡＭなどの記憶装置を有し、これらの記憶装置が記憶したプログラムを実行する。これにより、マイコン１６０は、周波数指示部１６１や消灯指示部１６２を実現する。
【００２４】
周波数指示部１６１は、インバータ回路１３０が生成する高周波交流電圧の周波数を指示する。周波数指示部１６１は、指示する周波数を示す周波数指示信号を生成する。周波数指示部１６１が生成した周波数指示信号は、マイコン１６０が出力し、例えば、電位によって指示する周波数を示す。例えば、周波数指示信号の電位が低電位なら、予熱周波数を示し、周波数指示信号の電位が高電位なら、点灯周波数を示す。
ここで、予熱周波数とは、放電灯ＬＡを点灯する前に放電灯ＬＡのフィラメントを予熱するために交流電圧を印加する場合の周波数のことである。
点灯周波数とは、放電灯ＬＡを点灯しているときに放電灯ＬＡに印加する交流電圧の周波数のことである。なお、この例において、放電灯ＬＡ始動時に放電灯ＬＡに印加する交流電圧の周波数（始動周波数）は、点灯周波数と同じである。始動時には、チョークコイルＬ４１と始動コンデンサＣ４３との共振周波数から近い周波数の交流電圧を印加することで、放電灯ＬＡのフィラメント間に高電圧を発生させるが、放電灯ＬＡの放電が開始すると、負荷回路の共振周波数が変化する。このため、点灯周波数が始動周波数と同じであっても、点灯中に放電灯ＬＡにフィラメント間に印加される電圧はあまり高くならない。
なお、点灯周波数と始動周波数とを異なる周波数としてもよい。その場合、周波数指示部１６１は、３種類（またはそれ以上）の周波数のなかから１つの周波数を指示する周波数指示信号を生成する。
【００２５】
周波数指示部１６１は、マイコン１６０に対して制御電源電圧が供給され、マイコン１６０が起動すると、最初に予熱周波数を指示する周波数指示信号を生成する。周波数指示部１６１は、その後、放電灯ＬＡのフィラメントが暖まるのに十分な時間が経過するまで待ち、周波数指示信号が指示する周波数を点灯周波数に切り替える。これにより、放電灯ＬＡの放電が開始し、その後、放電灯ＬＡが点灯を続ける。
【００２６】
消灯指示部１６２は、放電灯ＬＡが異常点灯していることを異常点灯検出回路１７５が検出した場合に、放電灯ＬＡの消灯を指示する消灯指示信号を生成する。
マイコン１６０は、異常点灯検出回路１７５が生成した異常点灯検出信号を入力する。消灯指示部１６２は、入力した異常点灯検出信号の電位から、異常点灯検出回路１７５が異常点灯を検出したか否かを判断する。消灯指示部１６２は、異常点灯検出回路１７５が異常点灯を検出したと判断した場合、消灯指示信号を生成する。消灯指示部１６２が生成した消灯指示信号はマイコン１６０が出力し、例えば、電位によって消灯を指示するか否かを示す。例えば、消灯指示信号の電位が高電位なら、放電灯ＬＡの消灯を指示することを示し、消灯指示信号の電位が低電位なら、放電灯ＬＡの消灯を指示しないことを示す。
【００２７】
駆動電源回路２２０は、インバータ駆動回路１５０を動作させる電源となる駆動電源電圧を生成する。
駆動電源回路２２０は、例えば、抵抗Ｒ２６（第一駆動電源電流取得回路）と、ダイオードＤ２７（第二駆動電源電流取得回路）と、駆動電源蓄電回路２２８とを備える。
抵抗Ｒ２６（第一駆動電源電流取得回路）は、一端を整流回路１１０の出力に電気接続し、他端を駆動電源蓄電回路２２８に電気接続している。抵抗Ｒ２６には、整流回路１１０が生成した脈流電圧と駆動電源蓄電回路２２８に充電された電圧との電位差により生じる電流が流れる。
ダイオードＤ２７（第二駆動電源電流取得回路）は、アノードをスナバ回路１８０に電気接続し、カソードを駆動電源蓄電回路２２８に電気接続している。
ダイオードＤ２７には、整流作用により、スナバ回路１８０が逃がしたサージ電流のうち、ＭＯＳ−ＦＥＴＱ３１がオフ、ＭＯＳ−ＦＥＴＱ３２がオンの状態からＭＯＳ−ＦＥＴＱ３２がオフ、ＭＯＳ−ＦＥＴＱ３１がオンの状態へ遷移する際のデッドタイムに流れる電流（の一部）が流れる。
駆動電源蓄電回路２２８は、抵抗Ｒ２６（第一駆動電源電流取得回路）が取得した電流（第一駆動電源電流）と、ダイオードＤ２７が取得した電流（第二駆動電源電流）とにより充電される。
駆動電源蓄電回路２２８は、例えば、コンデンサＣ２９と、定電圧ダイオードＺＤ２との並列回路である。
コンデンサＣ２９は、抵抗Ｒ２６を介して流れる第一駆動電源電流と、ダイオードＤ２７を介して流れる第二駆動電源電流とにより充電される。
定電圧ダイオードＺＤ２は、コンデンサＣ２９に充電された電圧が所定の電圧に達すると導通し、第一駆動電源電流及び第二駆動電源電流を逃がして、コンデンサＣ２９に充電された電圧が所定の電圧を超えないようにする。
コンデンサＣ２９に充電された電圧は、駆動電源電圧として、インバータ駆動回路１５０に供給される。
【００２８】
インバータ駆動回路１５０（ドライブ回路）は、駆動電源回路２２０が生成した駆動電源電圧を電源として動作する回路である。
インバータ駆動回路１５０は、インバータ回路１３０のＭＯＳ−ＦＥＴＱ３１及びＭＯＳ−ＦＥＴＱ３２をオンオフするインバータ駆動信号を生成する。
インバータ駆動回路１５０は、マイコン１６０が出力した周波数指示信号を入力し、入力した周波数指示信号に基づいて、指示された周波数でＭＯＳ−ＦＥＴＱ３１及びＭＯＳ−ＦＥＴＱ３２をオンオフするインバータ駆動信号を生成する。
インバータ駆動回路１５０は、例えば、インバータ駆動ＩＣ１５１と、周波数設定回路１５５とを備える。
インバータ駆動ＩＣ１５１は、駆動電源回路２２０が生成した駆動電源電圧を電源として動作する集積回路である。
インバータ駆動ＩＣ１５１には、例えば、汎用ドライブＩＣであり、抵抗及びコンデンサを接続することにより、接続された抵抗の抵抗値とコンデンサの容量とによって定まる時定数に基づいてインバータ駆動信号の周波数を定め、定めた周波数のインバータ駆動信号を生成する。
【００２９】
周波数設定回路１５５は、例えば、インバータ駆動ＩＣ１５１に接続した抵抗の抵抗値またはコンデンサの容量を変えることにより、インバータ駆動ＩＣ１５１が生成するインバータ駆動信号の周波数を変える回路である。
周波数設定回路１５５は、例えば、抵抗Ｒ５６、コンデンサＣ５７、コンデンサＣ５８、トランジスタＱ５９を備える。
抵抗Ｒ５６は、インバータ駆動ＩＣ１５１の所定のピンの間を電気接続する。
コンデンサＣ５７は、一端を抵抗Ｒ５６の一端に電気接続し、他端をグランド配線に電気接続する。
コンデンサＣ５８及びトランジスタＱ５９の直列回路は、コンデンサＣ５７と並列に電気接続している。
【００３０】
この例において、インバータ駆動ＩＣ１５１に接続した抵抗の抵抗値は、抵抗Ｒ５６の抵抗値で一定である。インバータ駆動ＩＣ１５１に接続したコンデンサの容量は、トランジスタＱ５９がオフの場合、コンデンサＣ５７の容量となり、トランジスタＱ５９がオンの場合は、並列に接続されたコンデンサＣ５７の容量とコンデンサＣ５８の容量の合計となる。すなわち、インバータ駆動ＩＣ１５１に接続したコンデンサの容量は、トランジスタＱ５９の状態によって２つの値をとる。したがって、トランジスタＱ５９の状態により、インバータ駆動ＩＣ１５１は、２つの周波数のインバータ駆動信号を生成する。
【００３１】
トランジスタＱ５９は、マイコン１６０が出力した周波数指示信号を入力する。トランジスタＱ５９は、入力した周波数指示信号の電位が高電位ならオンになり、低電位ならオフになる。
したがって、周波数指示部１６１が予熱周波数を指示した場合、トランジスタＱ５９はオフとなり、インバータ駆動ＩＣ１５１は、抵抗Ｒ５６の抵抗値とコンデンサＣ５７の容量とで定まる時定数に基づく周波数のインバータ駆動信号を生成する。そこで、インバータ駆動ＩＣ１５１が生成するインバータ駆動信号の周波数が予熱周波数になるよう、抵抗Ｒ５６の抵抗値及びコンデンサＣ５７の容量を設定しておく。
また、周波数指示部１６１が点灯周波数を指示した場合、トランジスタＱ５９はオンとなり、インバータ駆動ＩＣ１５１は、抵抗Ｒ５６の抵抗値とコンデンサＣ５７及びコンデンサＣ５８の合計容量とで定まる時定数に基づく周波数のインバータ駆動信号を生成する。そこで、インバータ駆動ＩＣ１５１が生成するインバータ駆動信号の周波数が点灯周波数になるよう、コンデンサＣ５８の容量を設定しておく。
なお、ここで述べた周波数設定回路１５５の構成は、点灯周波数のほうが予熱周波数よりも低い周波数である場合の一例である。時定数が大きくなれば周波数は低くなるからである。周波数設定回路１５５の構成は、他の構成であってもよい。その場合、点灯周波数のほうが予熱周波数よりも高い周波数であってもよいし、始動周波数などを含む３以上の周波数を設定できるようにしてもよい。
【００３２】
発振停止回路２３０は、インバータ回路１３０による高周波交流電圧の生成を停止したいときに、駆動電源蓄電回路２２８（コンデンサＣ２９）を放電する。これにより、駆動電源電圧がインバータ駆動回路１５０に供給されなくなるのでインバータ駆動回路１５０が動作を停止し、インバータ駆動信号を生成しなくなる。インバータ駆動回路１５０がインバータ駆動信号を生成しないのでＭＯＳ−ＦＥＴＱ３１及びＭＯＳ−ＦＥＴＱ３２はともにオフの状態を継続し、インバータ回路１３０は高周波交流電圧を生成しなくなる。
発振停止回路２３０は、例えば、サイリスタＴ３６（第一放電回路）と、トランジスタＱ３５（第二放電回路）との並列回路である。
【００３３】
サイリスタＴ３６は、アノードを抵抗Ｒ２６とコンデンサＣ２９との接続点に電気接続し、カソードをグランド配線に電気接続している。また、サイリスタＴ３６のゲートには、マイコン１６０が出力した消灯指示信号を入力する。
サイリスタＴ３６は、消灯指示信号の電位が低電位である場合、オフとなり、駆動電源蓄電回路２２８（コンデンサＣ２９）を放電しない。
サイリスタＴ３６は、消灯指示信号の電位が高電位である場合、オンとなり、駆動電源蓄電回路２２８（コンデンサＣ２９）を放電する。サイリスタＴ３６は、その後、消灯指示信号の電位が低電位になっても、オンの状態を継続し、駆動電源蓄電回路２２８（コンデンサＣ２９）を放電し続ける。サイリスタＴ３６は、駆動電源蓄電回路２２８（コンデンサＣ２９）を完全に放電しても、抵抗Ｒ２６を介して供給される第一駆動電源電流がサイリスタＴ３６を流れ、オンの状態を維持する。
【００３４】
トランジスタＱ３５は、放電灯接続検出回路１７３が生成した放電灯接続検出信号を入力する。
トランジスタＱ３５は、放電灯接続検出信号の電位が低電位である場合、オフとなり、駆動電源蓄電回路２２８（コンデンサＣ２９）を放電しない。なお、このときサイリスタＴ３６がオンであれば、駆動電源蓄電回路２２８（コンデンサＣ２９）はサイリスタＴ３６を流れる電流により放電される。
トランジスタＱ３５は、放電灯接続検出信号の電位が高電位である場合、オンとなり、駆動電源蓄電回路２２８（コンデンサＣ２９）を放電する。トランジスタＱ３５は、サイリスタＴ３６と異なり、その後、放電灯接続検出信号の電位が低電位になれば、オフの状態に戻る。
トランジスタＱ３５がオンになったとき、サイリスタＴ３６もオンだった場合、サイリスタＴ３６のオン状態を維持していた電流が、トランジスタＱ３５を流れるようになるので、サイリスタＴ３６はオフになる。したがって、トランジスタＱ３５がオンである間は、駆動電源蓄電回路２２８（コンデンサＣ２９）の放電を続ける。トランジスタＱ３５がオフになると、サイリスタＴ３６もオフになっているので、駆動電源蓄電回路２２８（コンデンサＣ２９）の放電は止まる。駆動電源蓄電回路２２８は、再び充電され、インバータ駆動回路１５０に駆動電源電圧を供給するので、インバータ駆動回路１５０が動作し、インバータ回路１３０が高周波交流電圧の生成を再開する。
【００３５】
発振停止回路２３０が駆動電源蓄電回路２２８を放電すると、スナバ回路１８０を流れる電流は、ダイオードＤ２７（第二駆動電源電流取得回路）に取られ、制御電源電流取得回路２１５は、制御電源電流を取得できなくなる。更に、インバータ駆動回路１５０の動作が停止すると、インバータ回路１３０が高周波交流電圧を生成しなくなるので、スナバ回路１８０に流れる電流もなくなる。
マイコン１６０の動作による消費電流により、制御電源蓄電回路２１８（コンデンサＣ１９）は放電していく。マイコン１６０の消費電流よりも制御電源電流取得回路２１５が取得する制御電源電流のほうが大きければ、制御電源蓄電回路２１８は制御電源電圧を維持するが、制御電源電流取得回路２１５が取得する制御電源電流がなくなるので、制御電源蓄電回路２１８は、制御電源電圧を維持できなくなる。これにより、マイコン１６０は動作を停止する。
【００３６】
図３は、この実施の形態における放電灯点灯装置１００の動作の流れを示すシーケンス図である。
【００３７】
時刻ｔ０において、放電灯点灯装置１００には、商用電源ＡＣなどの交流電源からの低周波交流電圧が供給されていないものとする。したがって、放電灯点灯装置１００の各回路は、動作していない。また、放電灯接続部１４０には、放電灯ＬＡが接続されていないものとする。
【００３８】
時刻ｔ１において、放電灯点灯装置１００と商用電源ＡＣなどの交流電源との間に設けられた電源スイッチをオンにするなどして、放電灯点灯装置１００に商用電源ＡＣなどの交流電源からの低周波交流電圧が供給され、放電灯点灯装置１００の各回路が動作を始める。しかし、放電灯接続部１４０には、まだ放電灯ＬＡが接続されていない。
整流回路１１０が脈流電圧を生成し、力率改善回路１２０が直流電圧を生成する。
放電灯接続検出回路１７３は、放電灯接続部１４０に放電灯ＬＡが接続されていないことを検出し、放電灯接続検出信号の電位を高電位にする。
発振停止回路２３０は、放電灯接続検出信号の電位が高電位なので、トランジスタＱ３５（第二放電回路）がオンになる。
駆動電源回路２２０は、整流回路１１０が生成した脈流電圧から抵抗Ｒ２６（第一駆動電流取得回路）が第一駆動電源電流を取得し、コンデンサＣ２９（駆動電源蓄電回路２２８）を充電しようとするが、トランジスタＱ３５（第二放電回路）がオンなので、コンデンサＣ２９は充電されず、コンデンサＣ２９の両端電圧は０Ｖのままである。
したがって、インバータ駆動ＩＣ１５１は、動作に必要な駆動電源電圧を得られず、動作しない。
このため、インバータ回路１３０のＭＯＳ−ＦＥＴＱ３１及びＭＯＳ−ＦＥＴＱ３２は、ともにオフの状態を継続し、インバータ回路１３０は、高周波交流電圧を生成しない。スナバ回路１８０が逃がす電流がないので、制御電源回路２１０は、制御電源電流を取得せず、コンデンサＣ１９（制御電源蓄電回路２１８）の両端電圧は０Ｖのままである。
したがって、マイコン１６０は、動作に必要な制御電源電圧を得られず、動作しない。
このとき、異常点灯検出回路１７５は、放電灯ＬＡが異常点灯していないことを検出し、異常点灯検出信号の電位を低電位とする。また、マイコン１６０が動作していないので、周波数指示信号及び消灯指示信号の電位はともに低電位であり、トランジスタＱ５９及びサイリスタＴ３６は、ともにオフである。
【００３９】
時刻ｔ２において、放電灯接続部１４０に、寿命末期などにより異常点灯する放電灯ＬＡが接続されたとする。
放電灯接続検出回路１７３は、放電灯接続部１４０に放電灯ＬＡが接続されたことを検出し、放電灯接続検出信号の電位を低電位にする。
発振停止回路２３０は、放電灯接続検出信号の電位が低電位なので、トランジスタＱ３５がオフになる。また、消灯指示信号の電位が低電位なので、サイリスタＴ３６はオフのままである。
したがって、駆動電源回路２２０は、整流回路１１０が生成した脈流電圧から抵抗Ｒ２６（第一駆動電源電流取得回路）が取得した第一駆動電源電流により、コンデンサＣ２９（駆動電源蓄電回路２２８）が充電される。
【００４０】
時刻ｔ３において、コンデンサＣ２９に充電された駆動電源電圧が、インバータ駆動ＩＣ１５１の動作電圧に達し、インバータ駆動ＩＣ１５１が動作を始める。
このとき、マイコン１６０がまだ動作していないので、周波数指示信号の電位は低電位であり、トランジスタＱ５９はオフである。したがって、インバータ駆動回路１５０は、予熱周波数のインバータ駆動信号を生成する。
インバータ回路１３０は、インバータ駆動回路１５０が生成したインバータ駆動信号によりＭＯＳ−ＦＥＴＱ３１及びＭＯＳ−ＦＥＴＱ３２を交互にオンオフし、予熱周波数の交流電圧を生成する。これにより、放電灯ＬＡのフィラメントが暖められる。
スナバ回路１８０は、ＭＯＳ−ＦＥＴＱ３１及びＭＯＳ−ＦＥＴＱ３２のスイッチング動作するときに発生するサージ電流を逃がす。
駆動電源回路２２０は、スナバ回路１８０が逃がしたサージ電流からダイオードＤ２７（第二駆動電源電流取得回路）が第二駆動電源電流を取得する。
インバータ駆動ＩＣ１５１が動作を継続するには、起動時よりも多くの電流を消費する。抵抗Ｒ２６（第一駆動電源電流取得回路）が取得した第一駆動電源電流だけでは足りない分を、ダイオードＤ２７（第二駆動電源電流取得回路）が取得した第二駆動電源電流で補うことにより、インバータ駆動ＩＣ１５１は、動作を継続する。
制御電源回路２１０は、スナバ回路１８０が逃がしたサージ電流から制御電源電流取得回路２１５が制御電源電流を取得する。制御電源電流取得回路２１５が取得した制御電源電流により、コンデンサＣ１９（制御電源蓄電回路２１８）が充電される。
【００４１】
時刻ｔ４において、コンデンサＣ１９に充電された制御電源電圧が、マイコン１６０の動作電圧に達し、マイコン１６０が動作を始める。
周波数指示部１６１は、予熱周波数を指示するため、周波数指示信号の電位を低電位にする。
異常点灯検出回路１７５は、放電灯ＬＡが異常点灯していないことを検出し、異常点灯検出信号の電位を低電位にする。
消灯指示部１６２は、異常点灯検出信号の電位が低電位なので、消灯指示信号の電位を低電位にする。
消灯指示信号の電位が低電位なので、サイリスタＴ３６は、オフの状態を保つ。
したがって、コンデンサＣ２９（駆動電源蓄電回路２２８）は放電されず、抵抗Ｒ２６が取得した第一駆動電源電流及びダイオードＤ２７が取得した第二駆動電源電流により充電される。これにより、インバータ駆動ＩＣ１５１は、動作を継続する。
また、周波数指示信号の電位が低電位なので、トランジスタＱ５９はオフのままであり、インバータ駆動回路１５０は、予熱周波数のインバータ駆動信号を生成し続ける。
【００４２】
時刻ｔ５において、マイコン１６０の周波数指示部１６１は、予熱周波数を指示してから所定の時間が経過したと判定し、点灯周波数を指示するため、周波数指示信号の電位を高電位にする。周波数指示信号の電位が高電位になったので、トランジスタＱ５９がオンになり、インバータ駆動回路１５０は、点灯周波数のインバータ駆動信号を生成する。
インバータ回路１３０は、インバータ駆動回路１５０が生成したインバータ駆動信号によりＭＯＳ−ＦＥＴＱ３１及びＭＯＳ−ＦＥＴＱ３２を交互にオンオフし、点灯周波数の交流電圧を生成する。チョークコイルＬ４１と始動コンデンサＣ４３との共振により放電灯ＬＡのフィラメント間に高電圧が発生し、放電灯ＬＡが放電を開始する。
【００４３】
時刻ｔ６において、放電灯ＬＡが寿命末期などにより異常点灯するので、異常点灯検出回路１７５は、放電灯ＬＡが異常点灯したことを検出し、異常点灯検出信号の電位を高電位にする。
消灯指示部１６２は、異常点灯検出信号の電位が高電位になったので、消灯を指示するため、消灯指示信号の電位を高電位にする。
消灯指示信号の電位が高電位になったので、サイリスタＴ３６がオンになり、コンデンサＣ２９が放電される。
【００４４】
時刻ｔ７において、コンデンサＣ２９に充電された駆動電源電圧が、インバータ駆動ＩＣ１５１の動作電圧より低くなり、インバータ駆動ＩＣ１５１は、動作を停止する。
インバータ駆動回路１５０がインバータ駆動信号を生成しなくなるので、ＭＯＳ−ＦＥＴＱ３１及びＭＯＳ−ＦＥＴＱ３２はともにオフとなり、インバータ回路１３０は高周波交流電圧の生成を停止する。
これにより、放電灯ＬＡが消灯する。また、スナバ回路１８０が逃がすサージ電流がなくなるので、制御電源電流取得回路２１５は、制御電源電流を取得しなくなる。
マイコン１６０の動作による消費電流により、コンデンサＣ１９が放電される。
【００４５】
時刻ｔ８において、コンデンサＣ１９に充電された制御電源電圧が、マイコン１６０の動作電圧より低くなり、マイコン１６０は、動作を停止する。
したがって、周波数指示信号及び消灯指示信号の電位は低電位になる。これにより、トランジスタＱ５９はオフになるが、サイリスタＴ３６（第二放電回路）には、抵抗Ｒ２６が取得した第一駆動電源電流が流れているので、オン状態（放電状態）を維持する。
サイリスタＴ３６がオンのままなので、コンデンサＣ２９は充電されず、インバータ駆動回路１５０は動作を停止した状態を継続する。
【００４６】
時刻ｔ９において、放電灯ＬＡを交換するため、放電灯接続部１４０から放電灯ＬＡが外されたとする。
放電灯接続検出回路１７３は、放電灯接続部１４０に放電灯ＬＡが接続されていないことを検出し、放電灯接続検出信号の電位を高電位にする。
放電灯接続検出信号の電位が高電位なので、トランジスタＱ３５がオンになる。
トランジスタＱ３５がオンになると、サイリスタＴ３６のオン状態を維持していた第一駆動電源電流がトランジスタＱ３５を流れ、サイリスタＴ３６は、オフになる。
トランジスタＱ３５がオンなので、コンデンサＣ２９は充電されず、インバータ駆動回路１５０は動作を停止したままの状態を保つ。
【００４７】
時刻ｔ１０において、新しい放電灯ＬＡが放電灯接続部１４０に接続されたとする。
放電灯接続検出回路１７３は、放電灯接続部１４０に放電灯ＬＡが接続されたことを検出し、放電灯接続検出信号の電位を低電位にする。
放電灯接続検出信号の電位が低電位になったので、トランジスタＱ３５がオフになる。サイリスタＴ３６もオフなので、第一駆動電源電流によりコンデンサＣ２９が充電される。
【００４８】
時刻ｔ１１において、インバータ駆動回路１５０が動作を開始し、インバータ回路１３０が予熱周波数の交流電圧を生成する。
時刻ｔ１２において、マイコン１６０が動作を開始し、周波数指示部１６１が予熱周波数を指示する周波数指示信号を生成する。
時刻ｔ１３において、周波数指示部１６１が点灯周波数を指示する周波数指示信号を生成する。
放電灯ＬＡが正常に点灯し、そのまま点灯を継続する。
【００４９】
なお、ここでは、放電灯ＬＡを交換のために外すことにより、サイリスタＴ３６がオフする場合について説明したが、電源スイッチを切って放電灯点灯装置１００に商用電源ＡＣなどの交流電源から低周波交流電圧が供給されなくなった場合も、サイリスタＴ３６はオフになる。したがって、電源を切っている間に放電灯ＬＡを交換した場合にも対応できる。
【００５０】
図４は、この実施の形態におけるインバータ駆動ＩＣ１５１及びマイコン１６０が動作するために消費する電流と、その供給源との関係を示す図である。
インバータ駆動ＩＣ１５１は、起動時（動作開始時）と動作継続時とで消費電流が異なり、起動時には、数十μＡ〜数百μＡ程度の電流を消費するのに対し、動作継続時は、起動時よりも多い数ｍＡ程度の電流を消費する。
また、マイコン１６０は、インバータ駆動ＩＣ１５１よりも消費電流が多く、数ｍＡ〜数十ｍＡの電流を消費する。
【００５１】
インバータ駆動ＩＣ１５１及びマイコン１６０が消費する電流は、整流回路１１０から抵抗Ｒ２６（第一駆動電源電流取得回路）が取得した第一駆動電源電流と、スナバ回路１８０からダイオードＤ２７（第二駆動電源電流取得回路）及び制御電源電流取得回路２１５が取得した第二駆動電源電流及び制御電源電流により賄われる。
インバータ駆動ＩＣ１５１が起動する前は、インバータ回路１３０が交流電圧を生成していないので、スナバ回路１８０から電流を取得することができない。したがって、インバータ駆動ＩＣ１５１の起動に必要な電流は、整流回路１１０から取得する。
インバータ駆動ＩＣ１５１が起動した後は、インバータ回路１３０が交流電圧を生成するので、スナバ回路１８０から電流を取得できる。マイコン１６０は、インバータ駆動ＩＣ１５１が動作を開始したあとに起動するので、マイコン１６０の動作に必要な電流やインバータ駆動ＩＣ１５１の動作継続に必要な電流は、スナバ回路１８０から取得する。
【００５２】
整流回路１１０から取得できる第一駆動電源電流をｉ２６、抵抗Ｒ２６の両端電圧をｖ２６、抵抗Ｒ２６の抵抗値をＲ２６とすると、ｉ２６＝ｖ２６／Ｒ２６である。したがって、抵抗Ｒ２６の両端電圧ｖ２６の平均値が大きいほど多くの第一駆動電源電流を取得でき、また、抵抗Ｒ２６の抵抗値Ｒ２６が小さいほど多くの第一駆動電源電流を取得できる。
例えば、放電灯点灯装置１００が商用電源ＡＣなどの交流電源から入力する交流電圧の実効値が１００Ｖ、駆動電源回路２２０が生成する駆動電源電圧が１２Ｖだとすると、抵抗Ｒ２６の両端電圧ｖ２６の平均値は、約７８Ｖである。例えば、インバータ駆動ＩＣ１５１の起動電流が１００μＡであるとすると、インバータ駆動ＩＣ１５１の起動電流を整流回路１１０から取得するためには、抵抗Ｒ２６の抵抗値Ｒ２６は約７８０ｋΩ以下である必要がある。
一方、抵抗Ｒ２６における消費電力をＰ２６とすると、Ｐ２６＝ｖ２６２／Ｒ２６である。上の例において、抵抗Ｒ２６の抵抗値Ｒ２６を７８０ｋΩに設定したとすると、抵抗Ｒ２６の両端電圧ｖ２６の実効値は約８９Ｖだから、消費電力Ｐ２６は約１０．２ｍＷである。
【００５３】
比較のため、インバータ駆動ＩＣ１５１が起動する前（あるいはインバータ駆動ＩＣ１５１の起動と同時）にマイコン１６０を起動する場合について考える。
インバータ駆動ＩＣ１５１が起動する前は、インバータ回路１３０が交流電圧を生成していないので、スナバ回路１８０から電流を取得することができない。したがって、整流回路１１０から取得した電流で、インバータ駆動ＩＣ１５１の起動電流と、マイコン１６０の動作電流とを賄う必要がある。
例えば、インバータ駆動ＩＣ１５１の起動電流が１００μＡ、マイコン１６０の動作電流が１０ｍＡであるとすると、その合計電流（１０．１ｍＡ）を整流回路１１０から取得するためには、抵抗Ｒ２６の抵抗値Ｒ２６は約７．７ｋΩ以下である必要がある。抵抗Ｒ２６の抵抗値Ｒ２６を７．７ｋΩに設定したとすると、抵抗Ｒ２６における消費電力Ｐ２６は約１．０４Ｗである。
【００５４】
このように、まず、インバータ駆動ＩＣ１５１を起動し、インバータ回路１３０が交流電圧の生成を開始した後に、マイコン１６０を起動することにより、整流回路１１０から取得する電流が少なくて済むので、抵抗Ｒ２６の抵抗値Ｒ２６を大きくすることができ、抵抗Ｒ２６における無駄な電力消費を減らすことができる。
【００５５】
上記の例では、放電灯点灯装置１００が商用電源ＡＣなどの交流電源から入力する交流電圧の実効値が１００Ｖである場合について説明したが、交流電源から入力する交流電圧がもっと高ければ、抵抗Ｒ２６の抵抗値Ｒ２６ももっと大きくできる。例えば、交流電源から入力する交流電圧の実効値が２５４Ｖである場合、１００μＡを取得するためには、抵抗Ｒ２６の抵抗値Ｒ２６が約２．３ＭΩ以下であればよい。
【００５６】
しかし、放電灯点灯装置１００が電源電圧フリー設計であり、交流電源から入力する交流電圧の実効値が１００Ｖ〜２５４Ｖの範囲内のいずれかであるとすると、交流電源から入力する交流電圧がもっとも低いときに必要な電流を確保できるようにしなければならない。
このため、交流電源から入力する交流電圧の実効値が１００Ｖのときに必要な電流が確保できるよう、抵抗Ｒ２６の抵抗値Ｒ２６を７８０ｋΩに設定したとすると、交流電源から入力する交流電圧の実効値が２５４Ｖの場合、抵抗Ｒ２６における消費電力Ｐ２６は、約７６ｍＷに増える。
ちなみに、上記比較例において抵抗Ｒ２６の抵抗値Ｒ２６を７．７ｋΩに設定した場合には、交流電源から入力交流電圧の実効値が２５４Ｖのとき、抵抗Ｒ２６における消費電力Ｐ２６は、約７．７Ｗとなる。
【００５７】
このように、放電灯点灯装置１００が電源電圧フリー設計である場合、抵抗Ｒ２６の抵抗値Ｒ２６を大きくすることによる消費電力削減の効果は、更に大きくなる。
【００５８】
なお、駆動電源回路２２０として、直流直流変換回路（ＤＣ−ＤＣコンバータ）を使用すれば、抵抗Ｒ２６における電力損失の問題はなくなるが、高価な部品が必要となったり部品点数が増えたりするので、放電灯点灯装置１００の製造コストが高くなる。
この実施の形態における放電灯点灯装置１００は、抵抗Ｒ２６における電力損失を抑えられるとともに、部品点数が少なく簡単な回路構成で実現できるので、放電灯点灯装置１００の製造コストを低く抑えることができる。
【００５９】
また、スイッチング素子などを用いて第一駆動電源電流取得回路を遮断し、抵抗Ｒ２６における電力損失を抑えてもよい。しかし、この実施の形態における放電灯点灯装置１００は、もともと抵抗Ｒ２６における電力損失が小さいので、そのような回路を設けることによる電力削減効果よりも、そのような回路を設けず製造コストを抑える効果のほうが大きく、好ましい。
【００６０】
放電灯接続部１４０に放電灯ＬＡが接続されていない場合、それを放電灯接続検出回路１７３が検出して、トランジスタＱ３５（第二放電回路）をオンにする。これにより、駆動電源蓄電回路２２８は充電されず、インバータ駆動ＩＣ１５１が動作しないので、インバータ回路１３０は、高周波交流電圧を生成しない。
放電灯接続部１４０に放電灯ＬＡが接続されている場合、それを放電灯接続検出回路１７３が検出して、トランジスタＱ３５（第二放電回路）をオフにする。これにより、駆動電源蓄電回路２２８が充電されて駆動電源電圧を生成し、インバータ駆動ＩＣ１５１が動作する。この時点では、マイコン１６０が動作していないので、周波数指示信号は、マイコン１６０が予熱周波数を指示した場合と同じ状態になる。したがって、インバータ駆動回路１５０は、予熱周波数のインバータ駆動信号を生成し、インバータ回路１３０は、予熱周波数の交流電圧を生成する。
【００６１】
なお、マイコン１６０が動作していない場合の周波数指示信号と、周波数指示部１６１が周波数を指示した場合の周波数指示信号とが異なる状態になる構成としてもよい。例えば、マイコン１６０は、複数の信号線を介して周波数指示信号を出力し、それぞれの信号線は、周波数指示部１６１が指示する周波数に対応し、対応する信号線の電位を高電位、他の信号線の電位を低電位にすることにより、周波数を指示する構成であってもよい。その場合、マイコン１６０が動作していなければ、複数の信号線すべての電位が低電位となるので、周波数指示部１６１が周波数を指示した場合とは異なる状態となる。
それを受けて、周波数設定回路１５５は、周波数指示信号に基づいて、マイコン１６０が動作していない場合、予熱周波数や点灯周波数と異なる周波数を設定し、インバータ駆動回路１５０は、設定した周波数のインバータ駆動信号を生成してもよい。
【００６２】
周波数設定回路１５５の構成は、他の構成でもよいが、この実施の形態で説明したように、コンデンサと、コンデンサとトランジスタなどのスイッチング素子との直列回路（複数でもよい）とを並列に接続することにより、インバータ駆動ＩＣ１５１に接続したコンデンサの容量を変化させる構成とすると、部品点数が少なくて済み、設計が容易なので、製造コストを抑えることができ好ましい。
このような構成の場合、周波数指示信号の電位が低電位のとき、インバータ駆動ＩＣ１５１に接続したコンデンサの容量が最も小さくなる。すなわち、時定数が小さくなるので、インバータ駆動ＩＣ１５１が生成するインバータ駆動信号の周波数は、最も高くなる。
したがって、マイコン１６０が動作していない場合にインバータ駆動回路１５０が生成するインバータ駆動信号の周波数は、放電灯ＬＡを点灯するときの点灯周波数よりも高い。その後、マイコン１６０が動作を開始すると、周波数指示信号が出力され、インバータ駆動回路１５０が生成するインバータ信号の周波数がそれよりも低い周波数（予熱周波数または始動周波数または点灯周波数）に遷移する。
【００６３】
マイコン１６０の動作に必要な制御電源電圧をインバータ回路１３０が生成した高周波交流電圧から取得した電流により生成するので、インバータ回路１３０が高周波交流電圧を生成していないとき（すなわち、消灯時）は、マイコン１６０が動作しない。
すなわち、マイコン１６０が動作している必要のないとき（消灯時）にマイコン１６０を動作させないので、無駄な電力消費をなくし、待機電力を削減することができる。
【００６４】
実施の形態２．
実施の形態２について、図５を用いて説明する。
【００６５】
図５は、この実施の形態における放電灯点灯装置１００の構成を示す回路図である。
なお、実施の形態１で説明した放電灯点灯装置１００と共通する部分については、同一の符号を付し、ここでは説明を省略する。
【００６６】
放電灯点灯装置１００は、交流電流取得回路１８５を有する。
交流電流取得回路１８５は、インバータ回路１３０が生成した高周波交流電圧から電流を取得する回路であり、例えば、コイルＬ８６を備える。
【００６７】
コイルＬ８６は、チョークコイルＬ４１の二次巻線であり、チョークコイルＬ４１と電磁結合したインダクタである。コイルＬ８６の両端には、電磁誘導によりチョークコイルＬ４１の両端電圧に比例する電圧が生じる。
交流電流取得回路１８５は、コイルＬ８６の両端電圧により発生した電流を、ダイオードＤ２７（第二駆動電源電流取得回路）や制御電源電流取得回路２１５に供給する。
【００６８】
ダイオードＤ２７（第二駆動電源電流取得回路）は、交流電流取得回路１８５から供給された電流（の一部）を取得する。
制御電源電流取得回路２１５は、交流電流取得回路１８５から供給された電流（の一部）を取得する。
【００６９】
インバータ回路１３０が高周波交流電圧を生成している場合、チョークコイルＬ４１の両端には交流電圧が印加されるので、交流電流取得回路１８５は、ダイオードＤ２７や制御電源電流取得回路２１５に電流を供給する。
インバータ回路１３０が高周波交流電圧を生成していない場合、チョークコイルＬ４１の両端には電圧が印加されないので、交流電流取得回路１８５は、ダイオードＤ２７や制御電源電流取得回路２１５に電流を供給しない。
【００７０】
このように、スナバ回路１８０から電流を取得する代わりに、チョークコイルＬ４１の二次巻線などの交流電流取得回路１８５から電流を取得してもよい。
なお、交流電流取得回路１８５は、インバータ回路１３０が高周波交流電圧を生成したときに電流を取得し、インバータ回路１３０が高周波交流電圧を生成しないときに電流を取得しない構成であれば、他の構成であってもよい。
【００７１】
また、図５にはスナバ回路１８０が記載されていないが、放電灯点灯装置１００はスナバ回路１８０を有していてもよい。
【００７２】
放電灯点灯装置１００全体の動作は、実施の形態１で説明したものと同様なので、ここでは説明を省略する。
このように、放電灯点灯装置１００は、スナバ回路１８０から電流を取得するのではなく、交流電流取得回路１８５から電流を取得しても、実施の形態１で説明した放電灯点灯装置１００と同様の動作をすることができる。
【００７３】
実施の形態３．
実施の形態３について、図６〜図８を用いて説明する。
【００７４】
図６は、この実施の形態における放電灯点灯装置１００の構成を示す回路図である。
なお、実施の形態１及び実施の形態２で説明した放電灯点灯装置１００と共通する部分については、同一の符号を付し、ここでは説明を省略する。
【００７５】
放電灯点灯装置１００は、更に、ダイオードＤ４６と、交流電流取得回路２８５とを有する。
ダイオードＤ４６は、駆動電源回路２２０が生成した駆動電源電圧を昇圧チョッパ制御ＩＣ１２５を動作させる電源として供給する。
【００７６】
実施の形態１及び実施の形態２では、昇圧チョッパ制御ＩＣ１２５の電源について述べなかったが、この実施の形態における昇圧チョッパ制御ＩＣ１２５は、駆動電源回路２２０が生成する駆動電源電圧を電源として動作する。
この例において、インバータ駆動ＩＣ１５１の起動電圧は、昇圧チョッパ制御ＩＣ１２５の起動電圧と同程度であるものとする。
駆動電源回路２２０が生成した駆動電源電圧が、インバータ駆動ＩＣ１５１の起動電圧に達すると、インバータ駆動ＩＣ１５１が動作を開始する。
一方、昇圧チョッパ制御ＩＣ１２５に電源として供給される電圧は、ダイオードＤ４６の順方向降下電圧の分低くなるので、インバータ駆動ＩＣ１５１が動作を開始した時点では、昇圧チョッパ制御ＩＣ１２５の起動電圧に達していない。したがって、昇圧チョッパ制御ＩＣ１２５は動作を開始しない。
その後、駆動電源回路２２０が生成した駆動電源電圧が更に高くなると、昇圧チョッパ制御ＩＣ１２５が動作を開始する。
なお、昇圧チョッパ制御ＩＣ１２５の起動電圧がインバータ駆動ＩＣ１５１の起動電圧より高い場合には、ダイオードＤ４６はなくてもよい。また、ダイオードＤ４６の代わりに抵抗を用いて、昇圧チョッパ制御ＩＣ１２５に供給される電源電圧を低くしてもよい。
【００７７】
交流電流取得回路２８５は、力率改善回路１２０から電流を取得し、取得した電流を制御電源電流取得回路２１５に供給する。
交流電流取得回路２８５は、例えば、コイルＬ８７と抵抗Ｒ８８との直列回路である。
コイルＬ８７は、チョークコイルＬ２１の二次巻線であり、チョークコイルＬ２１と電磁結合したインダクタである。コイルＬ８７の両端には、電磁誘導によりチョークコイルＬ２１の両端電圧に比例した電圧が発生する。
抵抗Ｒ８８は、コイルＬ８７を流れる電流を制限する。
交流電流取得回路２８５は、コイルＬ８７の両端電圧により発生した電流を、制御電源電流取得回路２１５に供給する。
【００７８】
実施の形態１及び実施の形態２と異なり、制御電源電流取得回路２１５は、抵抗Ｒ１６を有さない。この実施の形態における制御電源電流取得回路２１５は、交流電流取得回路２８５が取得した電流を、駆動電源回路２２０と分け合う必要がないからである。
【００７９】
図７は、この実施の形態における放電灯点灯装置１００の動作の流れを示すシーケンス図である。
【００８０】
時刻ｔ０において、放電灯点灯装置１００には、商用電源ＡＣなどの交流電源からの低周波交流電圧が供給されていないものとする。したがって、放電灯点灯装置１００の各回路は、動作していない。また、放電灯接続部１４０には、寿命末期などにより異常点灯する放電灯ＬＡが接続されているものとする。
【００８１】
時刻ｔ１において、放電灯点灯装置１００と商用電源ＡＣなどの交流電源との間に設けられた電源スイッチをオンにするなどして、放電灯点灯装置１００に商用電源ＡＣなどの交流電源からの低周波交流電圧が供給され、放電灯点灯装置１００の各回路が動作を始める。
整流回路１１０が脈流電圧を生成する。力率改善回路１２０は、昇圧チョッパ制御ＩＣ１２５が動作していないので、昇圧動作をせず、整流回路１１０が生成した脈流電圧のピーク値と同程度の電圧の直流電圧を生成する。
放電灯接続検出回路１７３は、放電灯接続部１４０に放電灯ＬＡが接続されていることを検出し、放電灯接続検出信号の電位を低電位にする。
異常点灯検出回路１７５は、放電灯接続部１４０に接続された放電灯ＬＡが異常点灯していないことを検出し、異常点灯検出信号の電位を低電位にする。
マイコン１６０は動作していないので、消灯指示信号の電位は低電位である。
発振停止回路２３０は、放電灯接続検出信号の電位が低電位なので、トランジスタＱ３５がオフになる。また、消灯指示信号の電位が低電位なので、サイリスタＴ３６もオフになる。
駆動電源回路２２０は、整流回路１１０が生成した脈流電圧から抵抗Ｒ２６（第一駆動電源電流取得回路）が第一駆動電源電流を取得する。コンデンサＣ２９（駆動電源蓄電回路２２８）は、抵抗Ｒ２６が取得した第一駆動電源電流により充電される。
制御電源回路２１０は、交流電流取得回路２８５のコイルＬ８７に発生した電圧から制御電源電流取得回路２１５が制御電源電流を取得する。しかし、昇圧チョッパ制御ＩＣ１２５が動作していないので、十分な制御電源電流は得られず、コンデンサＣ１９（制御電源蓄電回路２１８）はわずかしか充電されない。
【００８２】
時刻ｔ２において、コンデンサＣ２９に充電された駆動電源電圧が、インバータ駆動ＩＣ１５１の動作電圧に達し、インバータ駆動ＩＣ１５１が動作を始める。マイコン１６０が動作していないので、周波数指示信号の電位は低電位であり、トランジスタＱ５９がオフなので、インバータ駆動回路１５０は、予熱周波数のインバータ駆動信号を生成する。
インバータ回路１３０は、インバータ駆動回路１５０が生成したインバータ駆動信号によりＭＯＳ−ＦＥＴＱ３１及びＭＯＳ−ＦＥＴＱ３２を交互にオンオフし、予熱周波数の交流電圧を生成する。スナバ回路１８０がサージ電流を逃がし、スナバ回路１８０が逃がしたサージ電流から、ダイオードＤ２７（第二駆動電源電流取得回路）が第二駆動電源電流を取得する。コンデンサＣ２９（駆動電源蓄電回路２２８）は、抵抗Ｒ２６が取得した第一駆動電源電流及びダイオードＤ２７が取得した第二駆動電源電流により充電される。
【００８３】
時刻ｔ３において、コンデンサＣ２９に充電された駆動電源電圧が更に高くなり、昇圧チョッパ制御ＩＣ１２５の動作電圧（とダイオードＤ４６の順方向降下電圧との合計電圧）に達して、昇圧チョッパ制御ＩＣ１２５が動作を開始する。
力率改善回路１２０は、昇圧チョッパ制御ＩＣ１２５がＭＯＳ−ＦＥＴＱ２２をオンオフして、昇圧動作し、整流回路１１０が生成した脈流電圧のピーク値よりも高い所定の電圧の直流電圧を生成する。
昇圧チョッパ制御ＩＣ１２５が動作してＭＯＳ−ＦＥＴＱ２２をオンオフすることにより、交流電流取得回路２８５のコイルＬ８７に発生した電圧から制御電源電流取得回路２１５から取得する制御電源電流が増える。これにより、コンデンサＣ１９（制御電源蓄電回路２１８）が充電される。
【００８４】
時刻ｔ４において、コンデンサＣ１９に充電された電圧が、マイコン１６０の動作電圧に達し、マイコン１６０が動作を開始する。
周波数指示部１６１は、予熱周波数を指示する周波数指示信号を生成し、インバータ駆動回路１５０は、予熱周波数のインバータ駆動信号を生成し、インバータ回路１３０は、予熱周波数の交流電圧を生成する。
【００８５】
時刻ｔ５において、所定の時間が経過したと周波数指示部１６１が判定し、点灯周波数を指示する周波数指示信号を生成する。インバータ駆動回路１５０は、点灯周波数のインバータ駆動信号を生成し、インバータ回路１３０は、点灯周波数の交流電圧を生成する。  チョークコイルＬ４１と始動コンデンサＣ４３との共振により放電灯ＬＡのフィラメント間に高電圧が発生し、放電灯ＬＡが放電を開始し点灯する。
【００８６】
時刻ｔ６において、放電灯ＬＡが異常点灯していることを異常点灯検出回路１７５が検出し、異常点灯検出信号の電位を高電位にする。消灯指示部１６２は、異常点灯検出信号の電位が高電位なので、消灯を指示するため、消灯指示信号の電位を高電位にする。消灯指示信号の電位が高電位なので、サイリスタＴ３６がオンになり、コンデンサＣ２９（駆動電源蓄電回路２２８）が放電される。
【００８７】
時刻ｔ７において、コンデンサＣ２９に充電された電圧が、昇圧チョッパ制御ＩＣ１２５の動作電圧より低くなり、昇圧チョッパ制御ＩＣ１２５は、動作を停止する。
これにより、制御電源電流取得回路２１５は十分な制御電源電流を取得できなくなり、マイコン１６０の消費電流によりコンデンサＣ１９が放電される。
【００８８】
時刻ｔ８において、コンデンサＣ２９に充電された電圧が更に下がって、インバータ駆動回路１５０の動作電圧より低くなり、インバータ駆動回路１５０は、動作を停止する。
【００８９】
時刻ｔ９において、コンデンサＣ１９に充電された電圧が、マイコン１６０の動作電圧より低くなり、マイコン１６０は、動作を停止する。
【００９０】
こうして、昇圧チョッパ制御ＩＣ１２５、インバータ駆動回路１５０、マイコン１６０が、すべて動作を停止する。
【００９１】
時刻ｔ１０において、電源スイッチが切られ、放電灯点灯装置１００に商用電源ＡＣなどの交流電源から低周波交流電圧が供給されなくなったとする。その後、放電灯ＬＡが交換のため放電灯接続部１４０から外され、新しい放電灯ＬＡが放電灯接続部１４０に接続されたとする。
【００９２】
時刻ｔ１１において、電源スイッチが再びオンにされたとする。以後、上記説明と同様の手順により、放電灯点灯装置１００の各回路が動作を開始し、放電灯ＬＡを点灯する。
その後、異常点灯検出回路１７５は、放電灯ＬＡが異常点灯していないことを検出し、異常点灯検出信号の電位を低電位のままにするので、放電灯点灯装置１００の各回路は動作を継続し、放電灯ＬＡを点灯し続ける。
【００９３】
図８は、この実施の形態におけるインバータ駆動ＩＣ１５１及び昇圧チョッパ制御ＩＣ１２５及びマイコン１６０が動作するために消費する電流と、その供給源との関係を示す図である。
昇圧チョッパ制御ＩＣ１２５の消費電流は、数ｍＡ〜数十ｍＡ程度である。
【００９４】
インバータ駆動ＩＣ１５１が起動する前は、インバータ回路１３０が交流電圧を生成していないので、スナバ回路１８０から電流を取得できない。また、昇圧チョッパ制御ＩＣ１２５が動作していないので、交流電流取得回路２８５から取得できる電流はわずかである。
そのため、インバータ駆動ＩＣ１５１の起動に必要な電流は、抵抗Ｒ２６（第一駆動電源電流取得回路）が整流回路１１０から取得する。
インバータ駆動ＩＣ１５１が起動した後は、インバータ回路１３０が交流電圧を生成するので、スナバ回路１８０から電流を取得できる。そこで、インバータ駆動ＩＣ１５１の動作継続に必要な電流と、昇圧チョッパ制御ＩＣ１２５の動作に必要な電流とを、ダイオードＤ２７（第二駆動電源電流取得回路）がスナバ回路１８０から取得する。
更に、昇圧チョッパ制御ＩＣ１２５が動作を開始すると、交流電流取得回路２８５から多くの電流を取得できるようになる。そこで、マイコン１６０の動作に必要な電流を、制御電源電流取得回路２１５が交流電流取得回路２８５から取得する。
【００９５】
このように、整流回路１１０からは、インバータ駆動ＩＣ１５１を起動するために必要な電流だけを取得する。インバータ駆動ＩＣ１５１が起動してインバータ回路１３０が交流電圧を生成し始めると、スナバ回路１８０から電流を取得できるようになるので、昇圧チョッパ制御ＩＣ１２５を動作させる。更に、昇圧チョッパ制御ＩＣ１２５が動作し始めると、交流電流取得回路２８５から更に多くの電流を取得できるようになるので、マイコン１６０を動作させる。
【００９６】
これにより、整流回路１１０から取得する電流が少なくて済む。したがって、抵抗Ｒ２６の抵抗値Ｒ２６を大きくすることができ、抵抗Ｒ２６における消費電力を抑えることができる。
【００９７】
なお、スナバ回路１８０から取得できる電流で、昇圧チョッパ制御ＩＣ１２５及びマイコン１６０の動作に必要な電流をすべて賄える場合には、交流電流取得回路２８５を設けず、実施の形態１と同様、制御電源電流取得回路２１５がスナバ回路１８０から電流を取得してもよい。
また、スナバ回路１８０から電流を取得する代わりに、実施の形態２と同様、交流電流取得回路１８５を設けて、交流電流取得回路１８５から電流を取得してもよい。
【００９８】
複数のスイッチング素子を備え、インバータ駆動信号に基づいて上記複数のスイッチング素子をオンオフすることにより放電灯を点灯する交流電圧を生成するインバータ回路と、
上記インバータ回路が生成した交流電圧から制御電源電圧を生成する制御電源回路と、
上記制御電源回路が生成した制御電源電圧を電源として動作し、上記インバータ回路が生成する交流電圧の周波数を指示するマイクロコンピュータと、
上記マイクロコンピュータが動作している場合に、上記マイクロコンピュータが指示した周波数で上記インバータ回路の複数のスイッチング素子をオンオフするインバータ駆動信号を生成し、上記マイクロコンピュータが動作していない場合に、所定の周波数で上記インバータ回路の複数のスイッチング素子をオンオフするインバータ駆動信号を生成するインバータ駆動回路と
を有する放電灯点灯装置。
【００９９】
上記マイクロコンピュータは、上記制御電源回路が制御電源電圧を生成しない場合に動作しない放電灯点灯装置。
【０１００】
上記放電灯点灯装置は、更に、
上記インバータ駆動回路を動作させる電源となる駆動電源電圧を生成し、上記インバータ回路が交流電圧を生成していない場合に、上記インバータ回路の複数のスイッチング素子のオンオフを開始するインバータ駆動信号を生成するために必要な起動電流を上記インバータ駆動回路に供給し、上記インバータ回路が生成した交流電圧から、上記インバータ回路の複数のスイッチング素子のオンオフを継続するインバータ駆動信号を生成するために必要な動作電流を上記インバータ駆動回路に供給する駆動電源回路
を有する放電灯点灯装置。
【０１０１】
上記放電灯点灯装置は、更に、
上記インバータ回路の複数のスイッチング素子の少なくともいずれかがスイッチング動作するときに発生するサージ電流を逃がすスナバ回路を有し、
上記制御電源回路は、上記スナバ回路が逃がしたサージ電流から制御電源電圧を生成する放電灯点灯装置。
【０１０２】
上記放電灯点灯装置は、更に、
上記放電灯を流れる電流を制限するチョークコイルを有し、
上記制御電源回路は、上記チョークコイルの二次巻線を流れる電流から制御電源電圧を生成する放電灯点灯装置。
【０１０３】
放電灯を接続する放電灯接続部と、
交流電圧を整流して脈流電圧を生成する整流回路と、
上記整流回路が生成した脈流電圧から直流電圧を生成する力率改善回路と、
直列に接続した複数のスイッチング素子を備え、インバータ駆動信号に基づいて、上記複数のスイッチング素子を交互にオンオフすることにより、上記力率改善回路が生成した直流電圧から上記放電灯接続部に接続した放電灯を点灯する交流電圧を生成するインバータ回路と、
上記放電灯接続部に放電灯が接続されているか否かを検出し、検出結果を示す放電灯接続検出信号を生成する放電灯接続検出回路と、
上記放電灯接続部に接続された放電灯が異常点灯しているか否かを検出し、検出結果を示す異常点灯検出信号を生成する異常点灯検出回路と、
上記インバータ回路の複数のスイッチング素子の少なくともいずれかがスイッチング動作するときに発生するサージ電流を逃がすスナバ回路と、
上記スナバ回路が逃がしたサージ電流から制御電源電流を取得する制御電源電流取得回路と、
上記制御電源電流取得回路が取得した制御電源電流により充電され、充電された電圧を制御電源電圧とする制御電源蓄電回路と、
上記インバータ回路が生成する交流電圧の周波数を指示する周波数指示信号を生成する周波数指示部と、上記異常点灯検出回路が生成した異常点灯検出信号に基づいて上記放電灯接続部に接続された放電灯が異常点灯していることを上記異常点灯検出回路が検出した場合に、上記放電灯の消灯を指示する消灯指示信号を生成する消灯指示部とを備え、上記制御電源蓄電回路に充電された制御電源電圧を電源として動作するマイクロコンピュータと、
上記整流回路が生成した脈流電圧から第一駆動電源電流を取得する第一駆動電源電流取得回路と、
上記スナバ回路が逃がしたサージ電流から第二駆動電源電流を取得する第二駆動電源電流取得回路と、
上記第一駆動電源電流取得回路が取得した第一駆動電源電流と上記第二駆動電源電流取得回路が取得した第二駆動電源電流とにより充電され、充電された電圧を駆動電源電圧とする駆動電源蓄電回路と、
上記マイクロコンピュータが消灯指示信号を生成した場合に、上記駆動電源蓄電回路を放電するとともに、放電状態を維持する第一放電回路と、上記放電灯接続部に放電灯が接続されていないことを示す放電灯接続検出信号を上記放電灯接続検出回路が生成した場合に、上記駆動電源蓄電回路を放電するとともに、上記第一放電回路の放電状態を解除する第二放電回路とを備える発振停止回路と、
上記駆動電源蓄電回路に充電された駆動電源電圧を電源として動作し、上記マイクロコンピュータが動作している場合に、上記マイクロコンピュータが生成した周波数指示信号に基づいて上記マイクロコンピュータが指示した周波数で上記インバータ回路の複数のスイッチング素子をオンオフするインバータ駆動信号を生成し、上記マイクロコンピュータが動作していない場合に、所定の周波数で上記インバータ回路の複数のスイッチング素子をオンオフするインバータ駆動信号を生成するインバータ駆動回路と
を有することを特徴とする放電灯点灯装置。
【０１０４】
スイッチング素子を備え、上記スイッチング素子をオンオフすることにより直流電圧を生成する直流電源回路と、
複数のスイッチング素子を備え、インバータ駆動信号に基づいて上記複数のスイッチング素子をオンオフすることにより、上記直流電源回路が生成した直流電圧から放電灯を点灯する交流電圧を生成するインバータ回路と、
上記インバータ回路が生成した交流電圧から駆動電源電圧を生成する駆動電源回路と、
上記駆動電源回路が生成した駆動電源電圧を電源として動作し、上記直流電源回路のスイッチング素子のオンオフを制御する直流電源駆動回路と、
上記直流電源回路のスイッチング素子がスイッチング動作するときに発生する電流から制御電源電圧を生成する制御電源回路と、
上記制御電源回路が生成した制御電源電圧を電源として動作し、上記インバータ回路が生成する交流電圧の周波数を指示するマイクロコンピュータと、
上記マイクロコンピュータが動作している場合に、上記マイクロコンピュータが指示した周波数で上記インバータ回路の複数のスイッチング素子をオンオフするインバータ駆動信号を生成し、上記マイクロコンピュータが動作していない場合に、所定の周波数で上記インバータ回路の複数のスイッチング素子をオンオフするインバータ駆動信号を生成するインバータ駆動回路と
を有する放電灯点灯装置。
【符号の説明】
【０１０５】
１００  放電灯点灯装置、１１０  整流回路、１２０  力率改善回路、１２５  昇圧チョッパ制御ＩＣ、１３０  インバータ回路、１４０  放電灯接続部、１５０  インバータ駆動回路、１５１  インバータ駆動ＩＣ、１５５  周波数設定回路、１６０  マイコン、１６１  周波数指示部、１６２  消灯指示部、１７３  放電灯接続検出回路、１７５  異常点灯検出回路、１８０  スナバ回路、１８５，２８５  交流電流取得回路、２１０  制御電源回路、２１５  制御電源電流取得回路、２１８  制御電源蓄電回路、２２０  駆動電源回路、２２８  駆動電源蓄電回路、２３０  発振停止回路、８００  照明器具、８１０  ランプソケット、ＡＣ  商用電源、Ｃ１９，Ｃ２４，Ｃ２９，Ｃ５７，Ｃ５８，Ｃ８１  コンデンサ、Ｃ４２  カップリングコンデンサ、Ｃ４３  始動コンデンサ、Ｄ１７，Ｄ２３，Ｄ２７，Ｄ４６，Ｄ８３  ダイオード、ＤＢ  ダイオードブリッジ、Ｌ２１，Ｌ４１  チョークコイル、Ｌ８６，Ｌ８７  コイル、Ｑ２２，Ｑ３１，Ｑ３２  ＭＯＳ−ＦＥＴ、Ｑ３５，Ｑ５９  トランジスタ、ＬＡ  放電灯、Ｒ１６，Ｒ２６，Ｒ５６，Ｒ７１，Ｒ７２，Ｒ８２，Ｒ８８  抵抗、Ｔ３６  サイリスタ、ＺＤ１，ＺＤ２  定電圧ダイオード。
【図１】
0005289597.tif 000002
【図２】
0005289597.tif 000003
【図３】
0005289597.tif 000004
【図４】
0005289597.tif 000005
【図５】
0005289597.tif 000006
【図６】
0005289597.tif 000007
【図７】
0005289597.tif 000008
【図８】
0005289597.tif 000009